(57)【要約】【課題】本発明は、音声の鮮明性を確保しつつ効率的に音声を取り込んで画像データに付加して出力する。【解決手段】複合装置１は、マイク２０から入力される音声を音声データに変換して本体ＲＡＭ４に記憶し、本体ＣＰＵ２が、画像データに該音声データを付加して、ＬＡＮ  Ｉ／Ｆ９から他の装置へ送信する。本体ＣＰＵ２は、マイクを使用した音声録音動作を、例えば、スキャナ部７が、ＡＤＦによる読み取りではなく、コンタクトガラス上の原稿を読取る場合にのみ、読取動作と同時に実行する。【選択図】          図１
2015122726.tif 000002
【特許請求の範囲】
【請求項１】
入力される音声に基づいた音声データを音声記憶手段に記憶する音声録音手段と、
画像データに前記音声データを付加するデータ編集手段と、
前記音声録音手段による音声録音動作を、所定の録音条件を充足しているときにのみ実行させる制御手段と、
を備えていることを特徴とする画像処理装置。
【請求項２】
前記画像処理装置は、
画像データを適宜の出力方式で出力するデータ出力手段を、さらに備え、
前記制御手段は、
前記データ出力手段が出力する画像データに対して前記データ編集手段で付加する前記音声データを前記音声録音手段で音声録音する場合に前記録音条件を適用することを特徴とする請求項１記載の画像処理装置。
【請求項３】
前記画像処理装置は、
原稿の画像を読み取って画像データを出力する読取手段を、さらに備え、
前記制御手段は、
前記録音条件を充足していると、前記読取手段による原稿の読取動作と前記音声録音手段による音声録音動作を同時実行させることを特徴とする請求項１または請求項２記載の画像処理装置。
【請求項４】
前記制御手段は、
前記読取手段による前記原稿の読取動作中における前記音声録音手段による前記音声録音要求、または、該音声録音手段による音声録音動作中における該読取手段による原稿の読取要求があり、前記録音条件を非充足であると、該音声録音動作と該読取動作を時系列に実行させることを特徴とする請求項１から請求項３のいずれかに記載の画像処理装置。
【請求項５】
前記制御手段は、
前記読取手段がコンタクトガラス上にセットされた前記原稿を読み取ることを、前記録音条件とすることを特徴とする請求項３または請求項４記載の画像処理装置。
【請求項６】
前記画像処理装置は、
複数枚の原稿を載置可能な原稿台上の該原稿を１枚ずつ前記読取手段へ搬送する原稿自動搬送手段と、
前記原稿台上の原稿枚数を検出する原稿検出手段と、
情報を報知出力する報知手段と、
を備え、
前記制御手段は、
前記原稿台に原稿が載置されると、前記原稿検出手段の検出する原稿枚数に基づいて、前記読取手段による該原稿台上の原稿の読み取り後に、前記音声録音手段による前記音声録音が可能となるまでの待ち時間を算出して、前記報知手段に該待ち時間を報知出力させることを特徴とする請求項３から請求項５のいずれかに記載の画像処理装置。
【請求項７】
前記画像処理装置は、
被記録媒体に画像を記録出力する記録手段を、さらに備え、
前記制御手段は、
前記記録手段による画像の記録出力動作と前記音声録音手段による音声録音動作を、前記録音条件を充足していると、同時に実行させ、該録音条件を非充足であると、該記録出力動作と該音声録音動作を時系列で実行させることを特徴とする請求項３から請求項６のいずれかに記載の画像処理装置。
【請求項８】
前記制御手段は、
前記記録手段による画像の記録出力動作中における前記音声録音手段による音声録音要求、または、該音声録音手段による音声録音動作中における該記録手段による画像の記録出力動作要求があり、前記録音条件を非充足であると、該記録出力動作と該音声録音動作を時系列で実行させることを特徴とする請求項７記載の画像処理装置。
【請求項９】
前記制御手段は、
前記記録手段の動作音が所定の閾値音量未満であることを、前記録音条件とすることを特徴とする請求項７または請求項８記載の画像処理装置。
【請求項１０】
前記画像処理装置は、
情報を報知出力する報知手段を、さらに備え、
前記制御手段は、
前記音声録音手段による前記音声録音動作中に、待機している前記記録出力動作があると、前記報知手段に、待機している該記録出力動作に関する情報を報知出力させることを特徴とする請求項７から請求項９のいずれかに記載の画像処理装置。
【請求項１１】
前記画像処理装置は、
前記記録出力動作中における前記音声録音動作の実行タイミングを設定するタイミング設定手段を、さらに備え、
前記制御手段は、
前記記録出力動作中に前記音声録音要求が発生すると、前記タイミング設定手段で設定されている実行タイミングに基づいて、該記録出力動作を一旦中止して、該音声録音動作を実行、または、該記録出力動作が完了した後に、該音声録音動作を実行することを特徴とする請求項７から請求項１０のいずれかに記載の画像処理装置。
【請求項１２】
前記画像処理装置は、
周囲の騒音レベルを測定する騒音レベル測定手段を、さらに備え、
前記制御手段は、
前記騒音レベル測定手段の測定する騒音レベルが所定の閾値レベル未満であることを前記録音条件とすることを特徴とする請求項１から請求項１１のいずれかに記載の画像処理装置。
【請求項１３】
前記画像処理装置は、
前記音声録音手段による音声録音時間を設定する録音時間設定手段を、さらに備え、
前記制御手段は、
前記録音時間設定手段で設定された録音時間のみ、前記音声録音手段に音声録音を実行させることを特徴とする請求項１から請求項１２のいずれかに記載の画像処理装置。
【請求項１４】
前記画像処理装置は、
前記録音条件を設定する録音条件設定手段を、さらに備え、
前記制御手段は、
前記録音条件設定手段で設定された前記録音条件に基づいて、前記音声録音動作を制御することを特徴とする請求項１から請求項１３のいずれかに記載の画像処理装置。
【請求項１５】
前記画像処理装置は、
前記画像処理装置の前記画像処理動作に応じて発生する動作音の逆位相音を該画像処理動作毎に予め記憶する記憶手段と、
前記音声録音手段に前記音声が入力される際に、該音声が入力される際の前記画像処理動作に応じた前記逆位相音を前記音声データに合成して、該音声データから該動作音を除去する動作音除去手段と、
をさらに備え、
前記データ編集手段は、
画像データに前記動作音の除去された音声データを付加することを特徴とする請求項１２記載の画像処理装置。
【請求項１６】
前記画像処理装置は、
前記画像処理装置の前記画像処理動作に応じて発生する動作音の逆位相音を該画像処理動作毎に予め記憶する記憶手段と、
前記記憶手段から前記逆位相音を読み出して拡声出力する音出力手段と、
前記音声録音手段に前記音声が入力される際に、該音声が入力される際の前記画像処理動作に応じた前記逆位相音を前記音出力手段に拡声出力させて、入力される該音声から該動作音を除去させる動作音除去制御手段と、
を、さらに備えていることを特徴とする請求項１２記載の画像処理装置。
【請求項１７】
入力される音声に基づいた音声データを音声記憶手段に記憶する音声録音処理ステップと、
画像データに前記音声データを付加するデータ編集処理ステップと、
前記音声録音処理ステップによる音声録音動作を、所定の録音条件を充足しているときにのみ実行させる制御処理ステップと、
を有することを特徴とする画像処理方法。
【請求項１８】
制御プロセッサに、
入力される音声に基づいた音声データを音声記憶手段に記憶する音声録音処理と、
画像データに前記音声データを付加するデータ編集処理と、
前記音声録音処理による音声録音動作を、所定の録音条件を充足しているときにのみ実行させる制御処理と、
を実行させることを特徴とする画像処理プログラム。
【発明の詳細な説明】
【技術分野】
【０００１】
本発明は、画像処理装置、画像処理方法及び画像処理プログラムに関し、詳細には、音声の鮮明性を確保しつつ効率的に音声を取り込んで画像データに付加して出力する画像処理装置、画像処理方法及び画像処理プログラムに関する。
【背景技術】
【０００２】
マイク等の音声入力部から音声を取り込んで、音声データに変換し、変換した該音声データを画像データに付加してネットワーク経由で他の装置に出力したり、記憶媒体に蓄積出力する等の出力処理を行う画像処理装置が出現してきている。
【０００３】
このような画像処理装置は、画像データに関する解説等の情報を付加するのに、音声データが用いられることが多く、画像データの取り込み中に音声の取り込みを行うことが多い。ところが、画像処理装置が動作していると、動作音や周囲の騒音が取り込む音声に混入し、音声データの鮮明性に影響する。
【０００４】
そこで、従来、音声を録音再生する手段を有するファクシミリ装置であって、音声の録音時に機構系の動作を禁止するとともに、音声の録音終了時に機構系の動作禁止を解除することを特徴とするファクシミリ装置が提案されている（特許文献１参照）。また、本特許文献１では、音声を録音再生する手段と、受信したデータを出力する出力手段と、原稿を読み取る読み取り手段と、内部を冷却するファンのＯＮ／ＯＦＦを制御する手段と、受信データを蓄積する手段とを備えたファクシミリ装置において、音声を録音する際、装置がアイドル状態であれば、上記ファンをＯＦＦするとともに、原稿の読み取り動作を禁止し、受信データがあれば、上記蓄積手段に蓄積しておき、録音終了時点でファンをＯＮし、原稿の読み取り動作禁止を解除して、蓄積していた受信データを出力することが提案されている。
【０００５】
すなわち、この従来技術は、音声録音する際に、データ出力手段、読取手段、ファン等の機構系の動作を停止し、音声録音終了後に動作禁止を解除することで、録音音声に機構系の動作音が混入することを防止している。
【発明の概要】
【発明が解決しようとする課題】
【０００６】
しかしながら、上記公報記載の従来技術にあっては、音声の録音時には、画像処理装置であるファクシミリ装置の駆動系の動作を停止させて、音声録音終了後に動作禁止を解除している。したがって、音声録音を行っている間は、画像読取動作、画像出力動作等の画像処理装置の動作を停止している。その結果、画像処理装置の利用効率が低下し、利用効率を向上させる上で、改良の必要があった。
【０００７】
そこで、本発明は、音声の鮮明性及び画像処理動作の効率性を確保しつつ音声を取り込むことを目的としている。
【課題を解決するための手段】
【０００８】
上記目的を達成するために、請求項１記載の画像処理装置は、入力された音声に基づいた音声データを音声記憶手段に記憶する音声録音手段と、画像データに前記音声データを付加するデータ編集手段と、前記音声録音手段による音声録音動作を、所定の録音条件を充足しているときにのみ実行させる制御手段と、を備えていることを特徴としている。
【発明の効果】
【０００９】
本発明によれば、音声の鮮明性及び画像処理動作の効率性を確保しつつ音声を取り込むことができる。
【図面の簡単な説明】
【００１０】
【図１】本発明の第１実施例を適用した複合装置のブロック構成図。
【図２】操作パネルのブロック構成図。
【図３】録音動作とスキャナ動作をＡＤＦ利用有無に基づいて動作制御する画像処理を示すフローチャート。
【図４】録音動作とスキャナ動作をＡＤＦ利用有無に基づいて動作制御する他の画像処理を示すフローチャート。
【図５】スキャナ動作開始後に録音要求の有無に応じて動作制御する画像処理を示すフローチャート。
【図６】環境騒音を録音条件とする画像処理を示すフローチャート。
【図７】第２実施例の録音動作と印刷動作の同時実行制御を行う画像処理を示すフローチャート。
【図８】第２実施例の同時実行不可時に印刷ジョブ情報を通知する画像処理を示すフローチャート。
【図９】第２実施例の同時実行不可時に操作者の選択に応じて処理を行う画像処理を示すフローチャート。
【図１０】第３実施例の画像処理を示すフローチャート。
【図１１】第３実施例の録音要求時に設定に応じて印刷動作を制御する画像処理を示すフローチャート。
【図１２】第３実施例の印刷要求時に録音中であるか否かによって印刷要求を制御する画像処理を示すフローチャート。
【図１３】第３実施例の印刷要求時に録音中であると録音可否に応じて印刷制御する画像処理を示すフローチャート。
【図１４】第４実施例における複合装置の操作パネルのブロック構成図。
【図１５】第4実施例のノイズキャンセリングを行いつつ録音動作と印刷動作の同時実行制御を行う画像処理を示すフローチャート。
【図１６】第５実施例の複合装置のブロック構成図。
【図１７】第５実施例のノイズキャンセリングを行いつつ録音動作と印刷動作の同時実行制御を行う画像処理を示すフローチャート。
【発明を実施するための形態】
【００１１】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１２】
図１〜図６は、本発明の画像処理装置、画像処理方法及び画像処理プログラムの第１実施例を示す図であり、図１は、本発明の画像処理装置、画像処理方法及び画像処理プログラムの第１実施例を適用した複合装置１のブロック構成図である。
【００１３】
図１において、複合装置１は、本体ＣＰＵ（Central Processing Unit）２、本体ＲＯＭ（Read Only Memory）３、本体ＲＡＭ（Random Access Memory）４、プリンタ部５、操作パネル６、スキャナ部７、画像メモリ８及びＬＡＮ（Local Area Network）Ｉ／Ｆ９等を備えており、各部は、バス１０で接続されている。
【００１４】
本体ＲＯＭ３は、複合装置１としての基本プログラム、本発明の音声録音の制御を行う画像処理プログラム及び必要なシステムデータを格納している。
【００１５】
本体ＣＰＵ（データ編集手段、制御手段）２は、本体ＲＯＭ３内のプログラムに基づいて、本体ＲＡＭ４をワークメモリとして利用しつつ、複合装置１の各部を制御して、複合装置１としての基本処理を実行するとともに、本発明の音声録音の制御を行う画像処理方法を実行する。
【００１６】
すなわち、複合装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の画像処理方法を実行する画像処理プログラムを読み込んで本体ＲＯＭ３に導入することで、後述する音声の鮮明性及び画像処理動作の効率性を確保しつつ音声を取り込む画像処理方法を実行する画像処理装置として構築されている。この画像処理プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００１７】
すなわち、本体ＣＰＵ２は、画像データに音声データを付加するデータ編集処理を行い、また、音声録音動作を、所定の録音条件を充足しているときにのみ実行させる制御処理を行う。
【００１８】
プリンタ部（記録手段）５は、各種印刷方式のプリンタが用いられ、例えば、電子写真方式で用紙（被記録媒体）に画像を記録出力するプリンタが用いられている。また、プリンタ部５は、用紙の片面にのみ画像形成する片面プリンタであってもよいし、用紙の両面に画像形成する両面プリンタであってもよい。さらに、プリンタ部５は、印刷済みの用紙に、パンチ処理、折り処理、ステープル処理等の後処理を行う後処理部を備えていてもよい。すなわち、プリンタ部５は、被記録媒体である用紙に画像を記録出力する記録処理を行う。
【００１９】
スキャナ部（読取手段）７は、例えば、ＣＣＤ（Charge Coupled Device ）またはＣＭＯＳ（Complementary Metal Oxide Semiconductor ）を利用したイメージスキャナ等が利用されており、一般に、ＡＤＦ（Auto Document Feeder：自動原稿送り装置）を備えている。ＡＤＦ（原稿自動搬送手段）には、その原稿トレイ（原稿台）に複数枚の原稿がセットされ、ＡＤＦは、原稿トレイにセットされた原稿を１枚ずつスキャナ部７の原稿読取位置であるコンタクトガラス上に送給する。スキャナ部７は、ＡＤＦから搬送されてきた原稿、または、コンタクトガラス上にセットされた原稿を走査し、原稿の画像を所定の解像度で読み取って、アナログの画像データとして出力する。スキャナ部７は、図示しないＡ／Ｄ（Analog／Digital）を備えており、アナログの画像データをデジタルの画像データに変換して、本体ＣＰＵ２へ出力する。なお、スキャナ部７は、カラー原稿を読み取るカラースキャナであってもよい。そして、ＡＤＦは、その原稿トレイにセットされた原稿量を検出する原稿センサ（原稿検出手段）が配設されている。
【００２０】
画像メモリ８は、ＲＡＭ、ハードディスク等が用いられ、スキャナ部７の読み取った原稿の画像データ、ＬＡＮ  Ｉ／Ｆ９が受信した画像データ等の画像データを本体ＣＰＵ２の制御下で、記憶する。
【００２１】
本体ＣＰＵ２は、画像メモリ８に記憶されている画像データを読み出して、ＬＡＮ  Ｉ／Ｆ９を介したネットワーク上の端末への転送出力処理を行い、また、プリンタ部５による記録出力処理を行う。この場合、本体ＣＰＵ２は、画像データを、ＴＩＦＦ（Tag Image File Format）、ＪＰＥＧ（Joint Photographic Experts Group）、ＰＤＦ（Portable Document Format）の形式に変換して画像メモリ８に格納する。
【００２２】
ＬＡＮ  Ｉ／Ｆ（データ出力手段）９は、ネットワーク、例えば、ＬＡＮ（Local Area Network）に接続され、また、該ネットワークに接続された回線を介して他のネットワークに接続される。ＬＡＮ  Ｉ／Ｆ９は、該ネットワーク上の端末や該他のネットワーク上の端末（装置）、例えば、パーソナルコンピュータやワークステーション等との間で、画像データや電子メールの交換、特に、音声データの付加された画像データの送信を行う。
【００２３】
操作パネル（タイミング設定手段、騒音レベル設定手段、録音時間設定手段）６は、図２に示すように、操作部ＣＰＵ１１、操作部ＲＯＭ１２、操作部ＲＡＭ１３、音声出力部１４、音声録音キー１５、録音時間設定キー１６、表示部１７、ＣＯＤＥＣ（COmpresser/DECompressor：圧縮／伸張部）１８、音声データメモリ１９、マイク２０及びスタートキー２１等を備えている。
【００２４】
操作部ＲＯＭ１２は、操作パネル６としてのプログラムやシステムデータを格納している。
【００２５】
操作部ＣＰＵ１１は、操作部ＲＯＭ１２内のプログラムに基づいて、操作部ＲＡＭ１３をワークメモリとして利用しつつ、操作パネル６の各部を制御して、操作パネル６としての処理を実行する。特に、操作部ＣＰＵ１１は、本体ＣＰＵ２の制御下で、マイク２０による音声の取り込みを制御する。
【００２６】
音声出力部１４は、例えば、スピーカ及び音声出力回路等で構成され、操作部ＣＰＵ１１の制御下で、音声データを音声として拡声出力する。
【００２７】
音声録音キー１５は、音声録音をスタートさせるキーであり、操作情報を操作部ＣＰＵ１１に出力する。
【００２８】
録音時間設定キー（録音時間設定手段）１６は、録音時間を設定するのに使用され、録音時間としては、例えば、１秒刻みで設定することができる。なお、録音時間の設定としては、任意の時間を１秒刻みで設定する方法に限るものではなく、例えば、操作部ＲＯＭ１２に、予め複数の録音時間を登録して、録音時間設定キー１６で、この複数の録音時間のうち、今回の音声録音に使用する録音時間を選択してもよい。
【００２９】
表示部１７は、例えば、液晶ディスプレイ等が用いられ、操作部ＣＰＵ１１の制御下で、表示データを表示出力する。特に、表示部１７は、本発明の音声録音を伴う画像処理に必要な各種情報を、操作部ＣＰＵ１１の制御下で表示する。上記音声出力部１４及び表示部１７は、全体として情報を報知出力する報知手段として機能している。
【００３０】
ＣＯＤＥＣ１８は、操作部ＣＰＵ１１の制御下で、音声データの圧縮、伸長を制御する。例えば、ＣＯＤＥＣ１８は、音声データを、ＷＡＶ（RIFF waveform Audio Format）やＭＰ３（MPEG Audio Layer-3）等のディジタルデータに変換する。
【００３１】
音声データメモリ（音声記憶手段）１９は、マイク２０から取り込まれた音声及びＣＯＤＥＣ１８で圧縮／伸長された音声データを記憶する。
【００３２】
マイク（音声録音手段）２０は、マイクロフォン及び増幅回路等を備え、外部の音、特に、操作者の音声を取り込む。
【００３３】
スタートキー２１は、スキャナ部７による原稿の読取開始、プリンタ部５による用紙への画像の記録開始等の各種処理動作の開始を指示操作するのに使用される。
【００３４】
そして、本体ＣＰＵ２は、マイク２０から取り込んだ音声をＣＯＤＥＣ１８で適宜の音声データに変換して、画像データに付加して、ＬＡＮ  Ｉ／Ｆ９を介して他の端末に送信出力等の出力処理を行う。この場合、本体ＣＰＵ２は、後述するように、複合装置１の備えている各種機能のうち、騒音を発生する動作と録音動作の同時動作を制御して、音声の鮮明性及び画像処理動作の効率性を確保しつつ音声を取り込む。
【００３５】
次に、本実施例の作用を説明する。本実施例の複合装置１は、音声の鮮明性及び画像処理動作の効率性を確保しつつ音声を取り込む。
【００３６】
すなわち、複合装置１は、マイク２０から取り込んだ操作者の音声を音声データに変換して、画像データに付加して他の端末に送信出力する等の音声付加画像データ出力処理（以下、適宜、画像処理動作という。）を行う。複合装置１は、この音声録音処理を、音声の鮮明性が確保される条件下で、かつ、画像処理動作の効率性を確保しつつ実行する。
【００３７】
そこで、本実施例の複合装置１は、まず、図３に示すように、音声録音要求とスキャナ動作要求が同時に発生すると、ＡＤＦを利用していないことを、音声の鮮明性を確保可能な録音条件として、音声録音動作とスキャナ動作を制御する。すなわち、本体ＣＰＵ２は、図３に示すように、スキャンキーとしてのスタートキー２１が押下されると（ステップＳ１０１）、音声録音キー１５が押下されたか、すなわち、音声録音要求があったかチェックする（ステップＳ１０２）。
【００３８】
ステップＳ１０２で、音声録音キー１５が押下されないとき（ステップＳ１０２で、ＮＯのとき）、本体ＣＰＵ２は、スキャナ部７を駆動させて原稿読取動作を行わせ、全ての原稿の読取が完了すると、画像処理を終了する（ステップＳ１０３）。
【００３９】
ステップＳ１０２で、音声録音キー１５が押下されると（ステップＳ１０２で、ＹＥＳのとき）、本体ＣＰＵ２は、録音時間設定キー１６によって設定された録音時間を取得する（ステップＳ１０４）。
【００４０】
次に、本体ＣＰＵ２は、ＡＤＦを利用したスキャナ動作であるかチェックする（ステップＳ１０５）。
【００４１】
ステップＳ１０５で、ＡＤＦを利用したスキャナ動作であると（ステップＳ１０５で、ＹＥＳのとき）、本体ＣＰＵ２は、録音条件を満たしていないので、原稿量の予測を行う（ステップＳ１０６）。本体ＣＰＵ２は、この原稿量の予測では、例えば、ＡＤＦの原稿台に載置されている原稿センサの検出結果に基づいて、原稿枚数を予測する。
【００４２】
次に、本体ＣＰＵ２は、予測した原稿量（原稿枚数）に基づいて、全ての原稿のスキャナ動作を完了するまでの待ち時間を算出して、音声録音開始までの待ち時間として操作パネル６の表示部１７に表示し、または／及び、音声出力部１４から音声出力する（ステップＳ１０７）。待ち時間が表示部１７に表示等されることで、操作者は、音声録音開始までの待ち時間を知ることができ、利用性を向上させることができる。
【００４３】
本体ＣＰＵ２は、スキャナ部７による原稿の読取動作を開始させ（ステップＳ１０８）、ＡＤＦを利用したスキャナ部７による全ての原稿の読み取りを完了すると、読み取り動作を終了する。次に、本体ＣＰＵ２は、マイク２０を利用した操作者の音声を録音する音声録音動作を開始し、録音時間が経過すると、音声録音動作を終了して、画像処理を終了する（ステップＳ１０９）。
【００４４】
ステップＳ１０５で、スキャナ動作がＡＤＦを利用しないスキャナ動作であると（ステップＳ１０５で、ＮＯのとき）、本体ＣＰＵ２は、録音条件が満たされていると判断して、スキャナ部７に原稿の読み取りを開始させるとともに（ステップＳ１０８）、マイク２０を使用した音声録音の開始を許可する（ステップＳ１０９）。すなわち、本体ＣＰＵ２は、スキャナ部７を利用した原稿の読取動作とマイク２０を使用した音声録音動作を同時に実行し、それぞれの動作が完了すると、その動作処理を終了する。例えば、本体ＣＰＵ２は、音声録音動作を、ステップＳ１０４で設定された録音時間だけ実行し、録音時間が経過すると、音声録音動作を終了する。
【００４５】
なお、図３においては、スキャナ動作要求が先に行われた後に、音声録音要求の有無に応じて動作制御する場合について説明したが、図４に示すように、先に、音声録音動作要求の有無を判断し、その後、スキャナ動作要求を待って動作制御してもよい。
【００４６】
すなわち、図４に示すように、本体ＣＰＵ２は、音声録音キー１５が押下されたかチェックする（ステップＳ２０１）。本体ＣＰＵ２は、ステップＳ２０１で、音声録音キー１５が押下されないと（ステップＳ２０１で、ＮＯのとき）、スキャンキーとしてのスタートキー２１が押下されるのを待つ（ステップＳ２０２）。
【００４７】
ステップＳ２０２で、スキャンキーが押下されると、本体ＣＰＵ２は、スキャナ部７を駆動させて原稿読取動作を行わせ、全ての原稿の読み取りが完了すると、画像処理を終了する（ステップＳ２０３）。
【００４８】
ステップＳ２０１で、音声録音キー１５が押下されると（ステップＳ２０１で、ＹＥＳのとき）、本体ＣＰＵ２は、録音時間設定キー１６によって設定された録音時間を取得する（ステップＳ２０４）。
【００４９】
次に、本体ＣＰＵ２は、ＡＤＦを利用したスキャナ動作であるかチェックする（ステップＳ２０５）。
【００５０】
ステップＳ２０５で、ＡＤＦを利用したスキャナ動作であると（ステップＳ２０５で、ＹＥＳのとき）、本体ＣＰＵ２は、録音条件を満たしていないので、上記同様に原稿量（原稿枚数）の予測を行う（ステップＳ２０６）。
【００５１】
次に、本体ＣＰＵ２は、予測した原稿量（原稿枚数）に基づいて、全ての原稿のスキャナ動作を完了するまでの待ち時間を算出して、音声録音開始までの待ち時間として操作パネル６の表示部１７への表示や音声出力部１４による音声出力を行う（ステップＳ２０７）。
【００５２】
本体ＣＰＵ２は、スキャンキー（スタートキー２１）が押下されるのを待つ（ステップＳ２０８）。スキャンキーが押下されると、いま、ＡＤＦを利用しており、録音条件を満たしていないので、本体ＣＰＵ２は、スキャナ部７によるＡＤＦを利用した原稿の読取動作を開始させる（ステップＳ２０９）。本体ＣＰＵ２は、ＡＤＦを利用したスキャナ部７による全ての原稿の読み取りが完了するのを待って、読み取り動作を終了する。次に、本体ＣＰＵ２は、マイク２０を利用した操作者の音声を録音する音声録音動作を開始し、予め設定されている録音時間が経過すると、音声録音動作を終了して、画像処理を終了する（ステップＳ２１０）。
【００５３】
ステップＳ２０５で、スキャナ動作がＡＤＦを利用しないスキャナ動作であると（ステップＳ２０５で、ＮＯのとき）、本体ＣＰＵ２は、スキャンキーが押下されるのを待つ（ステップＳ２０８）。本体ＣＰＵ２は、スキャンキーが押下されると、録音条件を満たしているので、スキャナ部７に原稿の読み取りを開始させるとともに（ステップＳ２０９）、マイク２０を使用した音声録音の開始を許可する（ステップＳ２１０）。すなわち、本体ＣＰＵ２は、スキャナ部７を利用した原稿の読取動作とマイク２０を使用した音声録音動作を同時に実行し、それぞれ動作が完了すると、その画像処理を終了する。
【００５４】
このように、本実施例の複合装置１は、入力される音声に基づいた音声データを音声データメモリ（音声記憶手段）１９に記憶するマイク（音声録音手段）２０と、画像データに前記音声データを付加する本体ＣＰＵ（データ編集手段）２と、マイク２０による音声録音動作を、所定の録音条件を充足しているときにのみ実行させる本体ＣＰＵ（制御手段）２と、を備えている。
【００５５】
したがって、鮮明な音声録音が可能な録音条件を充足しているときに音声録音動作を行うことができ、音声の鮮明性及び画像処理動作の効率性を確保しつつ音声を取り込むことができる。
【００５６】
また、本実施例の複合装置１は、入力される音声に基づいた音声データを音声データメモリ（音声記憶手段）１９に記憶する音声録音処理ステップと、画像データに前記音声データを付加するデータ編集処理ステップと、前記音声録音処理ステップによる音声録音動作を、所定の録音条件を充足しているときにのみ実行させる制御処理ステップと、を有する画像処理方法を実行している。
【００５７】
したがって、鮮明な音声録音が可能な録音条件を充足しているときに音声録音動作を行うことができ、音声の鮮明性及び画像処理動作の効率性を確保しつつ音声を取り込むことができる。
【００５８】
さらに、本実施例の複合装置１は、本体ＣＰＵ２等の制御プロセッサに、入力される音声に基づいた音声データを音声データメモリ（音声記憶手段）１９に記憶する音声録音処理と、画像データに前記音声データを付加するデータ編集処理と、前記音声録音処理による音声録音動作を、所定の録音条件を充足しているときにのみ実行させる制御処理と、を実行させる画像処理プログラムを搭載している。
【００５９】
したがって、鮮明な音声録音が可能な録音条件を充足しているときに音声録音動作を行うことができ、音声の鮮明性及び画像処理動作の効率性を確保しつつ音声を取り込むことができる。
【００６０】
また、本実施例の複合装置１は、画像データを適宜の出力方式で出力するＬＡＮ  Ｉ／Ｆ（データ出力手段）９を、さらに備え、前記本体ＣＰＵ２は、前記ＬＡＮ  Ｉ／Ｆ９が出力する画像データに対してデータ編集手段としての本体ＣＰＵ２で付加する音声データをマイク２０で音声録音する場合に、前記録音条件を適用する。
【００６１】
したがって、画像データに付加する音声を、鮮明な音声録音が可能な録音条件で録音することができ、鮮明な音声を画像データに付加して出力することができる。
【００６２】
さらに、本実施例の複合装置１は、原稿の画像を読み取って画像データを出力するスキャナ部（読取手段）７を、さらに備え、前記制御手段としての本体ＣＰＵ２が、前記録音条件を充足していると、スキャナ部７による原稿の読取動作とマイク２０による音声録音動作を同時実行させる。
【００６３】
したがって、鮮明な音声録音が可能な録音条件を充足しているときには、音声録音動作と原稿読取動作を同時に実行することができ、音声の鮮明性及び画像処理動作の効率性をより一層確保しつつ音声を取り込むことができる。
【００６４】
また、本実施例の複合装置１は、本体ＣＰＵ２が、スキャナ部７がコンタクトガラス上にセットされた原稿を読み取ることを、前記録音条件としている。
【００６５】
したがって、比較的動作音の低い原稿読取動作においては、録音動作を行うことができ、音声の鮮明性及び画像処理動作の効率性をより一層確保しつつ音声を取り込むことができる。
【００６６】
さらに、本実施例の複合装置１は、複数枚の原稿を載置可能な原稿台上の該原稿を１枚ずつスキャナ部７へ搬送するＡＤＦ（原稿自動搬送手段）と、前記原稿台上の原稿枚数を検出する原稿センサ（原稿検出手段）と、情報を報知出力する報知手段として音声出力部１４、表示部１７と、を備え、本体ＣＰＵ２が、前記原稿台に原稿が載置されると、原稿センサの検出する原稿枚数に基づいて、スキャナ部７による該原稿台上の原稿の読み取り後に、マイク２０による音声録音が可能となるまでの待ち時間を算出して、前記報知手段に該待ち時間を報知出力させる。
【００６７】
したがって、録音可能となるまでの待ち時間を知ることができ、利用性を向上させることができる。
【００６８】
また、上記説明では、読取動作と音声録音動作の要求の有無を確認した後に、要求された動作を開始しているが、図５に示すように、読取動作要求があると、読取動作を開始し、その後に、音声録音キー１５の押下状況に応じて動作制御してもよい。
【００６９】
すなわち、本体ＣＰＵ２は、ＡＤＦに原稿がセットされた状態で、スキャンキーの押下を確認すると（ステップＳ３０１）、スキャナ部７に原稿の読み取りを開始させる（ステップＳ３０２）。
【００７０】
本体ＣＰＵ２は、読み取りを開始させると、音声録音キー１５が押下されたかチェックする（ステップＳ３０３）。
【００７１】
ステップＳ３０３で、音声録音キー１５が押下されないと（ステップＳ３０３で、ＮＯのとき）、本体ＣＰＵ２は、全ての原稿に対して読取動作を行って、全ての原稿の読み取りが完了すると、画像処理を終了する。
【００７２】
ステップＳ３０３で、音声録音キー１５が押下されると（ステップＳ３０３で、ＹＥＳのとき）、本体ＣＰＵ２は、読取動作を中断し（ステップＳ３０４）、録音時間設定キー１６によって設定された録音時間を取得する（ステップＳ３０５）。
【００７３】
次に、本体ＣＰＵ２は、マイク２０を利用した操作者の音声を録音する音声録音動作を開始し、録音時間が経過すると、音声録音動作を終了して（ステップＳ３０６）、スキャナ部７による原稿の読み取りを再開させる。本体ＣＰＵ２は、再開した読取動作によって、全ての原稿の読み取りを完了すると、画像処理を終了し、録音した音声データを読み取った画像データに付加する（ステップＳ３０７）。
【００７４】
このように、本実施例の複合装置１は、本体ＣＰＵ２が、スキャナ部７による原稿の読取動作中におけるマイク２０による音声録音要求、または、該マイク２０による音声録音動作中における該スキャナ部７による原稿の読取要求があり、前記録音条件を非充足であると、該音声録音動作と該読取動作を時系列に実行させている。
【００７５】
したがって、録音動作中の読取要求、読取動作中の録音要求を、録音条件に基づいて、適切に制御することができ、音声の鮮明性及び画像処理動作の効率性を確保しつつ音声を取り込むことができる。
【００７６】
さらに、上記各説明では、音声録音と他の動作である読取動作の同時実行条件である録音条件として、読取動作がＡＤＦの利用の有無を用いているが、該録音条件としては、ＡＤＦの利用有無に限るものではない。例えば、図６に示すように、録音条件として、環境騒音が所定の閾値音量未満であることを用いてもよい。なお、図６は、図５と同様の読取動作開始後の音声録音要求の有無に基づいて画像処理を制御する場合に適用しているが、図３、図４の場合についても同様に適用することができる。
【００７７】
すなわち、この場合、複合装置１は、マイク２０を、環境騒音を取得する騒音取得手段として利用し、本体ＲＯＭ３には、予め音声録音を許可するか否かの録音条件として、閾値騒音レベルが格納されている。
【００７８】
そして、図６において、本体ＣＰＵ２は、スキャンキーの押下を確認すると（ステップＳ４０１）、スキャナ部７に原稿の読み取りを開始させる（ステップＳ４０２）。
【００７９】
本体ＣＰＵ２は、読み取りを開始させると、音声録音キー１５が押下されたかチェックする（ステップＳ４０３）。
【００８０】
ステップＳ４０３で、音声録音キー１５が押下されないと（ステップＳ４０３で、ＮＯのとき）、本体ＣＰＵ２は、全ての原稿に対して読取動作を行って、全ての原稿の読み取りが完了すると、画像処理を終了する。
【００８１】
ステップＳ４０３で、音声録音キー１５が押下されると（ステップＳ４０３で、ＹＥＳのとき）、本体ＣＰＵ２は、マイク２０から環境騒音を取り込んで、その環境騒音レベルを求める。本体ＣＰＵ２は、求めた環境騒音レベルが上記閾値騒音レベル以下であるかチェックする（ステップＳ４０４）。
【００８２】
ステップＳ４０４で、環境騒音レベルが閾値騒音レベルを超えていると、本体ＣＰＵ２は、音声録音を行うと、音声の鮮明性が劣化すると判断して、音声録音を開始することなく、読取動作が完了していないときには、該読取動作を継続する。
【００８３】
ステップＳ４０４で、環境騒音レベルが閾値騒音レベル以下であると、本体ＣＰＵ２は、録音時間設定キー１６によって設定された録音時間を取得する（ステップＳ４０５）。次に、本体ＣＰＵ２は、マイク２０を利用した操作者の音声を録音する音声録音動作を開始し、録音時間が経過すると、音声録音動作を終了し、読取動作も完了すると、画像処理を終了する（ステップＳ４０６）。
【００８４】
本実施例の複合装置１は、周囲の騒音レベルを測定するマイク（騒音レベル測定手段）２０を、さらに備え、本体ＣＰＵ２が、マイク２０の測定する騒音レベルが所定の閾値レベル未満であることを前記録音条件としている。
【００８５】
したがって、複合装置１の動作音だけでなく、周囲の環境騒音をも考慮して、録音動作を行うことができ、音声の鮮明性をより一層確保しつつ音声録音を行うことができる。
【実施例２】
【００８６】
図７〜図９は、本発明の画像処理装置、画像処理方法及び画像処理プログラムの第２実施例を示す図であり、図７は、本発明の画像処理装置、画像処理方法及び画像処理プログラムの第２実施例を適用した複合装置による録音動作と印刷動作を録音条件に基づいて制御する画像処理を示すフローチャートである。
【００８７】
なお、本実施例は、上記第１実施例の複合装置１と同様の複合装置に適用したものであり、本実施例の説明においては、第１実施例で用いた符号をそのまま用いて説明する。
【００８８】
本実施例は、録音動作を開始した後に、印刷ジョブが発生したときに、該印刷ジョブが録音条件を満たしているか否かに基づいて、録音動作と印刷動作の同時実行の制御を行う。
【００８９】
すなわち、図７において、本体ＣＰＵ２は、スキャナ部７によって読み取られる原稿の画像データに対して添付する音声の音声録音を行うために、音声録音キー１５が押下されるかチェックする（ステップＳ５０１）。
【００９０】
ステップＳ５０１で、音声録音キー１５が押下されないと（ステップＳ５０１で、ＮＯのとき）、本体ＣＰＵ２は、プリンタ部５による印刷（記録出力）を可能な状態として、画像処理を終了する（ステップＳ５０２）。
【００９１】
ステップＳ５０１で、音声録音キー１５が押下されると（ステップＳ５０１で、ＹＥＳのとき）、本体ＣＰＵ２は、マイク２０を利用した操作者の音声を録音する音声録音動作を開始する（ステップＳ５０３）。
【００９２】
本体ＣＰＵ２は、音声録音動作を開始すると、印刷ジョブの発生の有無をチェックする（ステップＳ５０４）。
【００９３】
ステップＳ５０４で、印刷ジョブがないときには、本体ＣＰＵ２は、そのまま音声録音動作を継続して、録音時間が経過すると、音声録音動作を終了して、画像処理を終了する（ステップＳ５０５）。
【００９４】
ステップＳ５０４で、印刷ジョブがあると、本体ＣＰＵ２は、録音条件が満たされているか（一致するか）判断する（ステップＳ５０６）。この録音条件は、録音動作と印刷動作を同時に実行しても、録音を鮮明に行うことができる条件であり、例えば、両面印刷の有無、印刷後の後処理（ステープル、パンチ）の有無等が条件となる。すなわち、両面印刷のときには、用紙の反転機構が動作するときの動作音が大きく、録音している音声データにノイズとして録音される可能性があるため、両面印刷でないことが録音条件となる。また、ステープル動作、パンチの動作等の後処理を伴う場合には、後処理音が録音データに影響を与えるため、後処理を伴わない印刷動作であることが録音条件となる。
【００９５】
そして、ステップＳ５０６で、録音条件に一致する（満たす）と、本体ＣＰＵ２は、録音動作を継続しつつ、印刷動作を実行し（ステップＳ５０７）、録音時間が経過すると、音声録音動作を終了する（ステップＳ５０８）。また、本体ＣＰＵ２は、印刷動作を完了すると、画像処理動作を終了する。
【００９６】
ステップＳ５０６で、録音条件に一致しない（満たしていない）と、本体ＣＰＵ２は、印刷動作（記録出力動作）を保留し（ステップＳ５０９）、録音動作を継続して録音時間が経過すると、音声録音動作を終了する（ステップＳ５１０）。そして、本体ＣＰＵ２は、録音動作が終了すると、印刷動作を開始し、全ての印刷を完了すると、印刷動作を終了して、画像処理動作を終了する（ステップＳ５１１）。
【００９７】
なお、図７のステップＳ５０６で、録音条件に不一致の場合、図８に示すように、印刷ジョブに関するジョブ情報を表示部１７に表示してもよい。なお、図８において、図７と同様の処理ステップには、同一のステップナンバを付与して、その説明を省略または簡略化する。
【００９８】
図８において、ステップＳ５０１で、音声録音キー１５が押下されると、本体ＣＰＵ２は、マイク２０を利用した操作者の音声を録音する音声録音動作を開始し（ステップＳ５０３）、印刷ジョブの発生の有無をチェックする（ステップＳ５０４）。ステップＳ５０４で、印刷ジョブがないときには、本体ＣＰＵ２は、そのまま音声録音動作を継続して、録音時間が経過すると、音声録音動作を終了して、画像処理を終了する（ステップＳ５０５）。
【００９９】
ステップＳ５０４で、印刷ジョブがあると、本体ＣＰＵ２は、録音条件が満たされているか（一致するか）判断する（ステップＳ５０６）。
【０１００】
ステップＳ５０６で、録音条件に一致する（満たす）と、本体ＣＰＵ２は、録音動作を継続しつつ、印刷動作を実行し（ステップＳ５０７）、録音時間が経過すると、音声録音動作を終了する（ステップＳ５０８）。また、本体ＣＰＵ２は、印刷動作を完了すると、画像処理動作を終了する。
【０１０１】
ステップＳ５０６で、録音条件に一致しない（満たしていない）と、本体ＣＰＵ２は、印刷ジョブ情報を操作パネル６の表示部１７に表示し（ステップＳ５２１）、印刷動作を保留する（ステップＳ５０９）。次に、本体ＣＰＵ２は、録音動作を継続して録音時間が経過すると、音声録音動作を終了し（ステップＳ５１０）、印刷動作を開始して、全ての印刷を完了すると、印刷動作を終了して、画像処理動作を終了する（ステップＳ５１１）。
【０１０２】
また、図７のステップＳ５０６で、録音条件に不一致の場合、図９に示すように、印刷ジョブに関するジョブ情報を表示部１７に表示して、印刷するか否かの操作に応じて画像処理を行ってもよい。なお、図９において、図７及び図８と同様の処理ステップには、同一のステップナンバを付与して、その説明を省略または簡略化する。
【０１０３】
図９において、ステップＳ５０１で、音声録音キー１５が押下されると、本体ＣＰＵ２は、マイク２０を利用した操作者の音声を録音する音声録音動作を開始し（ステップＳ５０３）、印刷ジョブの発生の有無をチェックする（ステップＳ５０４）。ステップＳ５０４で、印刷ジョブがないときには、本体ＣＰＵ２は、そのまま音声録音動作を継続して、録音時間が経過すると、音声録音動作を終了して、画像処理を終了する（ステップＳ５０５）。
【０１０４】
ステップＳ５０４で、印刷ジョブがあると、本体ＣＰＵ２は、録音条件が満たされているか（一致するか）判断する（ステップＳ５０６）。
【０１０５】
ステップＳ５０６で、録音条件に一致する（満たす）と、本体ＣＰＵ２は、録音動作を継続しつつ、印刷動作を実行し（ステップＳ５０７）、録音時間が経過すると、音声録音動作を終了する（ステップＳ５０８）。また、本体ＣＰＵ２は、印刷動作を完了すると、画像処理動作を終了する。
【０１０６】
ステップＳ５０６で、録音条件に一致しない（満たしていない）と、本体ＣＰＵ２は、印刷ジョブ情報を操作パネル６の表示部１７に表示し（ステップＳ５２１）、印刷を実行するか否かの問い合わせを表示部１７に表示する（ステップＳ５３１）。
【０１０７】
ステップＳ５３１で、印刷を実行しないことが選択されると（ステップＳ５３１で、ＮＯのとき）、本体ＣＰＵ２は、印刷動作を保留し（ステップＳ５０９）、録音動作を継続して録音時間が経過すると、音声録音動作を終了する（ステップＳ５１０）。そして、本体ＣＰＵ２は、録音動作が終了すると、印刷動作を開始し、全ての印刷を完了すると、印刷動作を終了して、画像処理動作を終了する（ステップＳ５１１）。
【０１０８】
ステップＳ５３１で、印刷を実行することが選択されると（ステップＳ５３１で、ＹＥＳのとき）、本体ＣＰＵ２は、音声録音を中断し（ステップＳ５３２）、印刷動作を実行する（ステップＳ５３３）。本体ＣＰＵ２は、全ての印刷が完了すると、印刷動作を終了し（ステップＳ５３４）、音声録音動作を再開し、録音時間が経過すると、音声録音動作を終了して、画像処理動作を終了する（ステップＳ５３５）。
【０１０９】
このように、本実施例の複合装置１は、用紙（被記録媒体）に画像を記録出力するプリンタ部（記録手段）５を、さらに備え、本体ＣＰＵ２が、プリンタ部５による画像の記録出力動作（印刷動作）とマイク２０による音声録音動作を、前記録音条件を充足していると、同時に実行させ、該録音条件を非充足であると、該記録出力動作と該変換動作を時系列で実行させる。
【０１１０】
したがって、録音動作と記録出力動作が重なって要求されても、録音条件に基づいて、適切に動作制御することができる。その結果、録音動作中の記録出力要求、記録出力動作中の録音要求を、録音条件に基づいて、適切に制御することができ、音声の鮮明性及び画像処理動作の効率性を確保しつつ音声を取り込むことができる。
【０１１１】
また、本実施例の複合装置１は、本体ＣＰＵ２が、プリンタ部５による画像の記録出力動作中におけるマイク２０による音声録音要求、または、該マイク２０による音声録音動作中における該プリンタ部５による画像の記録出力動作要求があり、前記録音条件を非充足であると、該記録出力動作と該録音動作を時系列で実行させている。
【０１１２】
したがって、録音動作と記録出力動作が重なって要求されても、録音条件を満たしていないときには、時系列に動作処理することができる。その結果、録音動作中の記録出力要求、記録出力動作中の録音要求を順次適切に動作制御することができ、音声の鮮明性及び画像処理動作の効率性を確保しつつ音声を取り込むことができる。
【実施例３】
【０１１３】
図１０〜図１３は、本発明の画像処理装置、画像処理方法及び画像処理プログラムの第３実施例を示す図であり、図１０は、本発明の画像処理装置、画像処理方法及び画像処理プログラムの第３実施例を適用した複合装置による鮮明性を優先させた録音動作を行う画像処理を示すフローチャートである。
【０１１４】
なお、本実施例は、上記第１実施例の複合装置１と同様の複合装置に適用したものであり、本実施例の説明においては、第１実施例で用いた符号をそのまま用いて説明する。
【０１１５】
本実施例は、録音要求があった場合に、録音の鮮明性を優先させた録音動作を行う。
【０１１６】
すなわち、図１０において、本体ＣＰＵ２は、録音要求があると（ステップＳ６０１）、印刷中であるかチェックする（ステップＳ６０２）。
【０１１７】
ステップＳ６０２で、印刷中のとき（ステップＳ６０２で、ＹＥＳのとき）、本体ＣＰＵ２は、まず、印刷動作を停止（中止）し（ステップＳ６０３）、印刷停止通知を行う（ステップＳ６０４）。本体ＣＰＵ２は、この印刷停止通知を、例えば、操作パネル６の表示部１７にその旨を表示することで、行う。
【０１１８】
次に、本体ＣＰＵ２は、録音時間設定キー１６で録音時間が設定されると（ステップＳ６０５）、印刷中断中であるかチェックする（ステップＳ６０６）。ステップＳ６０６で、印刷中断中であると（ステップＳ６０６で、ＹＥＳのとき）、本体ＣＰＵ２は、録音時間から印刷再開までの待ち時間を計算し（ステップＳ６０７）、表示部１７に印刷再開までの待ち時間を表示する（ステップＳ６０８）。本体ＣＰＵ２は、マイク２０を利用して騒音の検知を行い（ステップＳ６０９）、騒音が予め設定されている閾値レベル以上であるかチェックする（ステップＳ６１０）。この閾値レベルは、音声録音を行っても音声の鮮明性を確保することができるか否かの閾値である。
【０１１９】
ステップＳ６０６で、印刷中断中でないとき（ステップＳ６０６で、ＮＯのとき）、本体ＣＰＵ２は、ステップＳ６０９に移行して、騒音の検知を行い（ステップＳ６０９）、騒音が予め設定されている閾値レベル以上であるかチェックする（ステップＳ６１０）。
【０１２０】
ステップＳ６１０で、騒音が閾値レベル未満であると（ステップＳ６１０で、ＮＯのとき）、本体ＣＰＵ２は、音声録音を鮮明に行うことができると判断して、マイク２０による操作者の音声の録音を開始する（ステップＳ６１１）。本体ＣＰＵ２は、設定された録音時間が経過すると、音声録音動作を終了して（ステップＳ６１２）、録音が終了した旨を表示部１７に表示する等の方法で録音終了通知を行う（ステップＳ６１３）。
【０１２１】
本体ＣＰＵ２は、その後、印刷中断中であるかチェックし（ステップＳ６１４）、中断中であると（ステップＳ６１４で、ＹＥＳのとき）、中断していた印刷動作を再開し、印刷動作を完了すると、画像処理動作を終了する（ステップＳ６１５）。
【０１２２】
ステップＳ６１４で、印刷中断中でないとき（ステップＳ６１４で、ＮＯのとき）、本体ＣＰＵ２は、そのまま画像処理動作を終了する。
【０１２３】
上記ステップＳ６１０で、騒音が閾値レベル以上であると（ステップＳ６１０で、ＹＥＳのとき）、本体ＣＰＵ２は、音声録音を行っても音声の鮮明性を確保することができないと判断し、録音要求を中断する（ステップＳ６１６）。
【０１２４】
次に、本体ＣＰＵ２は、録音が中断した旨を表示部１７に表示する等の方法で録音中断通知を行い（ステップＳ６１７）、印刷中断中であるかチェックする（ステップＳ６１４）。
【０１２５】
ステップＳ６１４で、本体ＣＰＵ２は、印刷中断中であると、中断していた印刷動作を再開し、印刷動作を完了すると、画像処理動作を終了する（ステップＳ６１５）。
【０１２６】
ステップＳ６１４で、印刷中断中でないとき、本体ＣＰＵ２は、そのまま画像処理動作を終了する。
【０１２７】
ステップＳ６０２で、印刷動作中でないとき（ステップＳ６０２で、ＮＯのとき）、本体ＣＰＵ２は、ステップＳ６０５に移行して、録音時間の設定から上記同様に処理する（ステップＳ６０５〜Ｓ６１７）。
【０１２８】
また、図１０の場合、図１１に示すように、録音要求時に操作者の設定に応じて、印刷動作を強制停止して録音動作するか、印刷動作を完了した後に録音動作するかの制御を行ってもよい。なお、図１１において、図１０と同様の処理ステップには、同一のステップナンバを付与して、その説明を簡略化する。
【０１２９】
すなわち、図１１において、本体ＣＰＵ２は、録音要求があると（ステップＳ６０１）、印刷中であるかチェックする（ステップＳ６０２）。
【０１３０】
ステップＳ６０２で、印刷中のとき、本体ＣＰＵ２は、印刷動作の強制停止設定を取得し（ステップＳ６２１）、強制停止であるか、印刷ジョブ完了後に録音を行うジョブ完了時であるかをチェックする（ステップＳ６２２）。
【０１３１】
ステップＳ６２２で、強制停止であると、本体ＣＰＵ２は、印刷動作を強制停止させ（ステップＳ６２３）、録音時間設定キー１６で録音時間が設定されると、該録音時間を取得する（ステップＳ６２４）。
【０１３２】
ステップＳ６２２で、印刷ジョブ完了後に録音を行うジョブ完了時であると、本体ＣＰＵ２は、印刷動作が完了するのを待ち（ステップＳ６２５）、印刷動作が完了したかチェックする（ステップＳ６２６）。ステップＳ６２６で、印刷動作が完了していないとき（ステップＳ６２６で、ＮＯのとき）、本体ＣＰＵ２は、ステップＳ６１５に戻って、印刷動作が完了するのを待つ（ステップＳ６２５、Ｓ６２６）。
【０１３３】
ステップＳ６２６で、印刷動作が完了すると（ステップＳ６２６で、ＹＥＳのとき）、本体ＣＰＵ２は、録音時間設定キー１６で録音時間が設定されると、該録音時間を取得する（ステップＳ６２４）。
【０１３４】
以降、本体ＣＰＵ２は、図１０のステップＳ６０９以降の場合と同様に処理する。すなわち、本体ＣＰＵ２は、マイク２０を利用して騒音の検知を行い（ステップＳ６０９）、騒音が予め設定されている閾値レベル以上であるかチェックする（ステップＳ６１０）。
【０１３５】
ステップＳ６１０で、騒音が閾値レベル未満であると、本体ＣＰＵ２は、音声録音を鮮明に行うことができると判断して、マイク２０による操作者の音声の録音を開始する（ステップＳ６１１）。本体ＣＰＵ２は、設定された録音時間が経過すると、音声録音動作を終了して（ステップＳ６１２）、録音が終了した旨を表示部１７に表示する等の方法で録音終了通知を行う（ステップＳ６１３）。
【０１３６】
本体ＣＰＵ２は、その後、印刷中断中であるかチェックし（ステップＳ６１４）、中断中であると、中断していた印刷動作を再開し、印刷動作を完了すると、画像処理動作を終了する（ステップＳ６１５）。
【０１３７】
ステップＳ６１４で、印刷中断中でないとき、本体ＣＰＵ２は、そのまま画像処理動作を終了する。
【０１３８】
上記ステップＳ６１０で、騒音が閾値レベル以上であると、本体ＣＰＵ２は、音声録音を行っても音声の鮮明性を確保することができないと判断し、録音要求を中断する（ステップＳ６１６）。
【０１３９】
次に、本体ＣＰＵ２は、録音が中断した旨を表示部１７に表示する等の方法で録音中断通知を行い（ステップＳ６１７）、印刷中断中であるかチェックする（ステップＳ６１４）。
【０１４０】
ステップＳ６１４で、本体ＣＰＵ２は、印刷中断中であると、中断していた印刷動作を再開し、印刷動作を完了すると、画像処理動作を終了する（ステップＳ６１５）。
【０１４１】
ステップＳ６１４で、印刷中断中でないとき、本体ＣＰＵ２は、そのまま画像処理動作を終了する。
【０１４２】
ステップＳ６０２で、印刷動作中でないとき、本体ＣＰＵ２は、ステップＳ６２４に移行して、録音時間の設定から上記同様に処理する（ステップＳ６２４、Ｓ６０９〜Ｓ６１７）。
【０１４３】
さらに、複合装置１は、上記図１０及び図１１は、録音要求があった場合に、印刷動作中であるか否かによって処理を制御しているが、逆に、印刷要求があった場合に、録音動作中であるか否かによって、図１２及び図１３に示すように制御してもよい。
【０１４４】
すなわち、図１２に示すように、本体ＣＰＵ２は、印刷要求があると（ステップＳ６３１）、録音動作中であるか否かチェックする（ステップＳ６３２）。
【０１４５】
ステップＳ６３２で、録音動作中であると（ステップＳ６３２で、ＹＥＳのとき）、本体ＣＰＵ２は、予め操作者が操作パネル６で設定している印刷受付設定を取得する（ステップＳ６３３）。すなわち、録音動作中に印刷要求があった場合に、操作者が、該印刷要求を受け付ける設定としているか否かを取得する。
【０１４６】
次に、本体ＣＰＵ２は、上記印刷要求を受け付ける設定になっているかチェックする（ステップＳ６３４）。
【０１４７】
ステップＳ６３４で、印刷を受け付ける設定になっていると（ステップＳ６３４で、ＹＥＳのとき）、本体ＣＰＵ２は、印刷要求を受け付け、印刷の実行を録音完了まで待機させる（ステップＳ６３５）。
【０１４８】
本体ＣＰＵ２は、録音が録音時間だけ行われて終了すると（ステップＳ６３６）、待機させていた印刷を実行し、印刷が完了すると、画像処理を終了する（ステップＳ６３７）。
【０１４９】
ステップＳ６３４で、印刷要求を受け付ける設定とはなっていないとき（ステップＳ６３４で、ＮＯのとき）、本体ＣＰＵ２は、印刷要求を拒否し、録音動作を録音時間だけ行って、画像処理を終了する（ステップＳ６３８）。
【０１５０】
ステップＳ６３２で、録音中でないとき（ステップＳ６３２で、ＮＯのとき）、本体ＣＰＵ２は、要求のあった印刷を実行し、印刷が完了すると、画像処理を終了する（ステップＳ６３７）。
【０１５１】
また、図１３に示すように、印刷要求があったときに、録音中であると、録音継続可否設定判断によって、印刷制御してもよい。
【０１５２】
すなわち、図１３に示すように、本体ＣＰＵ２は、印刷要求があると（ステップＳ６４１）、録音動作中であるか否かチェックする（ステップＳ６４２）。
【０１５３】
ステップＳ６４２で、録音動作中であると（ステップＳ６４２で、ＹＥＳのとき）、本体ＣＰＵ２は、要求のあった印刷要求に関する印刷情報（例えば、ページ数、重要度等）を取得して表示部１７に表示させる（ステップＳ６４３）。
【０１５４】
本体ＣＰＵ２は、印刷情報を表示させると、録音継続の可否判断を行う（ステップＳ６４４）。本体ＣＰＵ２は、この録音継続の可否判断を、操作パネル６のキー操作によって録音継続可が指示操作されたか、録音不可のキー操作が行われたか、あるいは、印刷優先が指示操作されたか等を取得することで行う。
【０１５５】
ステップＳ６４４で、録音継続可であると、本体ＣＰＵ２は、動作中の録音動作を継続し（ステップＳ６４５）、録音が完了すると、あるいは、録音動作と同時に、印刷要求を受け付け、印刷を実行して画像処理を終了する（ステップＳ６４６）。
【０１５６】
ステップＳ６４４で、録音継続不可が設定されていると、本体ＣＰＵ２は、動作中の録音を中断し（ステップＳ６４７）、印刷要求を受け付け、印刷動作を実行して画像処理を終了する（ステップＳ６４８）。
【０１５７】
さらに、ステップＳ６４４で、録音を中断して印刷を優先する設定が行われていると、本体ＣＰＵ２は、動作中の録音を中断し（ステップＳ６４９）、印刷要求を受け付け、印刷動作を実行する（ステップＳ６５０）。本体ＣＰＵ２は、印刷が完了すると、印刷終了通知を表示部１７に表示すること等で行い（ステップＳ６５１）、印刷終了通知に応じて、操作者がマイク２０を使用して音声入力を行うと、該音声を録音する録音動作を再開する。本体ＣＰＵ２は、設定時間の録音を行うと、録音動作を終了して、画像処理を終了する（ステップＳ６５２）。すなわち、本体ＣＰＵ２は、操作パネル（タイミング設定手段）６によって、記録出力動作中における前記音声録音動作の実行タイミングが設定されると、記録出力動作中に音声録音要求が発生すると、該設定されている実行タイミングに基づいて、該記録出力動作を一旦中止して、該音声録音動作を実行、または、該記録出力動作が完了した後に、該音声録音動作を実行する。
【０１５８】
このように、本実施例の複合装置１は、情報を報知出力する報知手段として、音声出力部１４、表示部１７等を、さらに備え、本体ＣＰＵ２が、マイク２０による音声録音動作中に、待機している記録出力動作があると、前記報知手段に、待機している該記録出力動作に関する情報を報知出力させる。
【０１５９】
したがって、録音中に待機している記録出力動作の情報（印刷ジョブ情報）を知ることができ、音声の鮮明性を確保しつつ音声録音を行うことができるとともに、複合装置１の利用性を向上させることができる。
【０１６０】
また、本実施例の複合装置１は、前記記録出力動作中における音声録音動作の実行タイミングを設定する操作パネル（タイミング設定手段）６を、さらに備え、本体ＣＰＵ２が、記録出力動作（印刷動作）中に音声録音要求が発生すると、前記タイミング設定手段で設定されている実行タイミングに基づいて、該記録出力動作を一旦中止して、該音声録音動作を実行、または、該記録出力動作が完了した後に、該音声録音動作を実行している。
【０１６１】
したがって、操作者の設定した実行タイミングに応じて、音声録音動作を実行することができ、音声の鮮明性を確保しつつ音声録音を行うことができるとともに、複合装置１の利用性を向上させることができる。
【０１６２】
上記各実施例の複合装置１は、周囲の騒音レベルを測定するマイク（騒音レベル測定手段）２０を、さらに備え、本体ＣＰＵ２が、マイク２０の測定する騒音レベルが所定の閾値レベル未満であることを前記録音条件としている。
【０１６３】
したがって、複合装置１の動作音だけでなく、周囲の環境騒音をも考慮して、録音動作を行うことができ、音声の鮮明性をより一層確保しつつ音声録音を行うことができる。
【０１６４】
また、上記各実施例の複合装置１は、マイク２０による音声録音時間を設定する操作パネル（録音時間設定手段）６を、さらに備え、本体ＣＰＵ２が、前記録音時間設定手段としての操作パネル６で設定された録音時間のみ、マイク２０に音声録音を実行させる。
【０１６５】
したがって、鮮明な音声録音が可能な録音条件を充足しているときに音声録音動作を行うことができ、音声の鮮明性及び画像処理動作の効率性を確保しつつ音声を取り込むことができる。
【０１６６】
さらに、上記各実施例の複合装置１は、前記録音条件を設定する操作パネル（録音条件設定手段）６を、さらに備え、本体ＣＰＵ２が、前記録音条件設定手段としての操作パネル６で設定された前記録音条件に基づいて、前記録音動作を制御する。
【０１６７】
したがって、利用環境や必要な録音音質に基づいて録音条件を設定することができ、音声の必要な鮮明性及び画像処理動作の効率性をより一層適切に確保しつつ音声を取り込むことができる。
【実施例４】
【０１６８】
図１４及び図１５は、本発明の画像処理装置、画像処理方法及び画像処理プログラムの第４実施例を示す図である。図１４は、本発明の画像処理装置、画像処理方法及び画像処理プログラムの第４実施例を適用した複合装置の操作パネル３０のブロック構成図である。
【０１６９】
なお、本実施例は、上記第１実施例の複合装置１と同様の複合装置に適用したものである。そこで、本実施例の説明においては、複合装置１の本体だけでなく、操作パネル３０を含めて、第１実施例の複合装置１と同様の構成部分については、同一の符号を、そのまま用いて説明する。
【０１７０】
本実施例の複合装置１は、図示しないが、第１実施例と同様に、本体ＣＰＵ２、本体ＲＯＭ３、本体ＲＡＭ（Random Access Memory）４、プリンタ部５、スキャナ部７、画像メモリ８及びＬＡＮＩ／Ｆ９等を備えているとともに、操作パネル３０を備えている。
【０１７１】
操作パネル３０は、図１４に示すように、第１実施例の操作パネル６と同様の操作部ＣＰＵ１１、操作部ＲＯＭ１２、操作部ＲＡＭ１３、音声出力部１４、音声録音キー１５、録音時間設定キー１６、表示部１７、ＣＯＤＥＣ１８、音声データメモリ１９、マイク２０、スタートキー２１を備えているとともに、ノイズデータメモリ３１を備えている。
【０１７２】
ノイズデータメモリ（記憶手段）３１は、予め複合装置１の各種動作モード（画像処理動作）における動作音が収集され、収集された該動作音の位相を逆位相にした音が、ノイズキャンセルデータとして格納されている。このノイズデータメモリ３１は、例えば、ＮＶＲＡＭ（Non Volatile ＲＡＭ）等が用いられている。  本体ＣＰＵ２は、音声録音時に、そのときの複合装置１の動作モードに対応するノイズキャンセルデータをノイズデータメモリ３１から読み出して、ＣＯＤＥＣ１８へ出力する。
【０１７３】
マイク２０は、音声録音時に、外部の音、特に、操作者の音声を取り込んで、ＣＯＤＥＣ１８へ出力する。
【０１７４】
ＣＯＤＥＣ１８は、マイク２０の取り込んだ音声とノイズデータメモリ３１からのノイズキャンセルデータを合成して音声からノイズを削減または抑制するとともに、圧縮して音声データメモリ１９に音声データとして格納する。したがって、上記本体ＣＰＵ２及びＣＯＤＥＣ１８は、全体として、音声録音手段であるマイク２０に音声が入力される際に、該音声が入力される際の画像処理動作に応じた逆位相音を該音声データに合成して、該音声データから該動作音を除去する動作音除去手段として機能している。
【０１７５】
なお、上記説明では、本体ＣＰＵ２が音声録音時に、その時の複合装置１の動作モードに対応するノイズキャンセリングデータをノイズデータメモリ３１から読み出して、ＣＯＤＥＣ１８へ出力して、音声データとノイズキャンセリングデータを合成させている。この処理は、本体ＣＰＵ２が行う場合に限るものではなく、操作部ＣＰＵ１１が行ってもよい。この場合には、操作部ＣＰＵ１１とＣＯＤＥＣ１８が、全体として動作音除去手段を構成することとなるが、以下の説明では、本体ＣＰＵ２が上記処理を行うものとして説明する。
【０１７６】
次に、本実施例の作用を説明する。本実施例は、予め収録した動作音の逆位相の音データをノイズキャンセルデータとして、取得した音データに合成することで、収録する音声データのノイズを削減して、録音動作と印刷動作の同時実行の制御を行う。
【０１７７】
すなわち、本体ＣＰＵ２は、図１５に示すように、スキャナ部７によって読み取られる原稿の画像データに対して添付する音声の音声録音を行うために、音声録音キー１５が押下されるかチェックする（ステップＳ７０１）。
【０１７８】
ステップＳ７０１で、音声録音キー１５が押下されないと（ステップＳ７０１で、ＮＯのとき）、本体ＣＰＵ２は、プリンタ部５による印刷（記録出力）を可能な状態として、画像処理を終了する（ステップＳ７０２）。
【０１７９】
ステップＳ７０１で、音声録音キー１５が押下されると（ステップＳ７０１で、ＹＥＳのとき）、本体ＣＰＵ２は、マイク２０から環境騒音を取り込んで、環境騒音レベルを求める。本体ＣＰＵ２は、求めた環境騒音レベルが上記閾値騒音レベル以下であるかチェックする（ステップＳ７０３）。
【０１８０】
ステップＳ７０３で、環境騒音レベルが閾値騒音レベルを超えていると（ステップＳ７０３で、ＮＯのとき）、本体ＣＰＵ２は、音声録音を行うと、音声の鮮明性が劣化すると判断して、音声録音を開始することなく、読取動作が完了していないときには、該読取動作を継続する。
【０１８１】
ステップＳ７０３で、環境騒音レベルが閾値騒音レベル以下であると（ステップＳ７０３で、ＹＥＳのとき）、本体ＣＰＵ２は、マイク２０を利用した操作者の音声を録音する音声録音動作を開始する（ステップＳ７０４）。
【０１８２】
本体ＣＰＵ２は、音声録音動作を開始すると、印刷ジョブの発生の有無をチェックする（ステップＳ７０５）。
【０１８３】
ステップＳ７０５で、印刷ジョブがないとき（ステップＳ７０５で、ＮＯのとき）、本体ＣＰＵ２は、そのまま音声録音動作を継続して、録音時間が経過すると、音声録音動作を終了して、画像処理を終了する（ステップＳ７０６）。
【０１８４】
ステップＳ７０５で、印刷ジョブがあると（ステップＳ７０５で、ＹＥＳのとき）、本体ＣＰＵ２は、録音条件が満たされているか（一致するか）判断する（ステップＳ７０７）。この録音条件は、録音動作と印刷動作を同時に実行しても、録音を鮮明に行うことができる条件であり、例えば、両面印刷の有無、印刷後の後処理（ステープル、パンチ）の有無及び騒音レベルが所定値以下であること等が条件となる。すなわち、両面印刷のときには、用紙の反転機構が動作するときの動作音が大きく、その動作音が所定レベルを超えると、録音している音声データにノイズとして録音される可能性があるため、両面印刷でない動作音が所定レベル以下の印刷動作であることが録音条件となる。また、ステープル動作、パンチの動作等の後処理を伴い、この後処理音が所定レベルを超える場合には、後処理音が録音データに影響を与えるため、後処理を伴わない、動作音が所定レベル以下の印刷動作であることが録音条件となる。
【０１８５】
そして、ステップＳ７０７で、録音条件に一致する（満たす）と（ステップＳ７０７で、ＹＥＳのとき）、本体ＣＰＵ２は、ノイズキャンセリングの必要がないと判断して、録音動作を継続しつつ、印刷動作を実行する（ステップＳ７０８）。本体ＣＰＵ２は、録音時間が経過すると、音声録音動作を終了する（ステップＳ７０９）。また、本体ＣＰＵ２は、印刷動作を完了すると、画像処理動作を終了する。
【０１８６】
ステップＳ７０７で、録音条件に一致しない（満たしていない）と（ステップＳ７０７で、ＮＯのとき）、本体ＣＰＵ２は、現在の印刷動作の動作状態を判別する（ステップＳ７１０）。すなわち、ＣＰＵ２は、印刷ジョブを調べて、両面印刷モード、後処理を伴う印刷モード等のいずれの印刷モードであるかを判別する。
【０１８７】
本体ＣＰＵ２は、動作状態を判別すると、その動作状態に基づいて、ノイズデータメモリ３１に格納されているノイズキャンセルデータを読み出し（ステップＳ７１１）、音声録音を行いつつ、印刷動作（記録出力動作）を実行する（ステップＳ７１２）。本体ＣＰＵ２は、印刷実行時における音声の集音動作を継続して、集音した音声データとノイズキャンセルデータを、ＣＯＤＥＣ１８に合成させ、集音音声データからノイズ（動作音）を除去させて、音声データメモリ１９へ録音させる（ステップＳ７１３）。本体ＣＰＵ２は、録音時間が経過すると、音声録音動作を終了する（ステップＳ７１４）。また、本体ＣＰＵ２は、印刷動作を完了すると、画像処理動作を終了する。
【０１８８】
なお、上記説明においては、録音条件に一致しない場合に、録音音声から動作音を除去する場合について説明したが、動作音の除去は、録音条件に一致しない場合に限るものではない。例えば、録音条件とは無関係に、録音音声から動作音の除去を行ってもよい。
【０１８９】
このように、本実施例の複合装置１は、前記画像処理装置である複合装置１の前記画像処理動作に応じて発生する動作音の逆位相音を該画像処理動作毎に予め記憶するノイズデータメモリ（記憶手段）３１と、前記マイク２０に前記音声が入力される際に、該音声が入力される際の前記画像処理動作に応じた前記逆位相音を前記音声データに合成して、該音声データから該動作音を除去する本体ＣＰＵ２及びＣＯＤＥＣ１８等の動作音除去手段と、をさらに備え、本体ＣＰＵ（データ編集手段）２が、前記画像データに前記動作音の除去された音声データを付加している。
【０１９０】
したがって、動作音が発生している場合にも、録音音声から該動作音を除去することができ、音声の鮮明性及び画像処理動作の効率性を確保しつつ音声を取り込むことができる。
【実施例５】
【０１９１】
図１６及び図１７は、本発明の画像処理装置、画像処理方法及び画像処理プログラムの第５実施例を示す図であり、図１６は、本発明の画像処理装置、画像処理方法及び画像処理プログラムの第５実施例を適用した複合装置４０のブロック構成図である。
【０１９２】
なお、本実施例は、上記第１実施例の複合装置１と同様の複合装置に適用したものであり、本実施例の説明においては、第１実施例の複合装置１と同様の構成部分については、同一の符号を、付与して、その説明を簡略化または省略する。
【０１９３】
図１６において、複合装置４０は、第１実施例の複合装置１と同様の本体ＣＰＵ２、本体ＲＯＭ３、本体ＲＡＭ４、プリンタ部５、操作パネル６、スキャナ部７、画像メモリ８、ＬＡＮＩ／Ｆ９を備えるとともに、ノイズデータメモリ４１とノイズ出力部４２を備えている。
【０１９４】
ノイズデータメモリ（記憶手段）４１は、複合装置４０の各種動作モード時における動作音が、集音され、集音された動作音を逆位相に変換した音がノイズキャンセルデータとして、予め格納されている。このノイズデータメモリ４１は、例えば、ＮＶＲＡＭ等の不揮発性メモリが用いられている。
【０１９５】
ノイズ出力部（音出力手段）４２は、スピーカ等が用いられている。本体ＣＰＵ２の制御下で、ノイズデータメモリ４１に記憶されているノイズキャンセルデータのうち、動作モード（画像処理動作）に対応するノイズキャンセルデータに基づいて、ノイズキャンセル音を拡声出力する。
【０１９６】
次に、本実施例の作用を説明する。本実施例の複合装置４０は、複合装置４０の動作モードに応じたノイズキャンセル音を、拡声出力しつつ、音声収録を行う。
【０１９７】
すなわち、本体ＣＰＵ２は、図１７に示すように、スキャナ部７によって読み取られる原稿の画像データに対して添付する音声の音声録音を行うために、音声録音キー１５が押下されるかチェックする（ステップＳ８０１）。
【０１９８】
ステップＳ８０１で、音声録音キー１５が押下されないと（ステップＳ８０１で、ＮＯのとき）、本体ＣＰＵ２は、プリンタ部５による印刷（記録出力）を可能な状態として、画像処理を終了する（ステップＳ８０２）。
【０１９９】
ステップＳ８０１で、音声録音キー１５が押下されると（ステップＳ８０１で、ＹＥＳのとき）、本体ＣＰＵ２は、マイク２０から環境騒音を取り込んで、環境騒音レベルを求める。本体ＣＰＵ２は、求めた環境騒音レベルが上記閾値騒音レベル以下であるかチェックする（ステップＳ８０３）。
【０２００】
ステップＳ８０３で、環境騒音レベルが閾値騒音レベルを超えていると（ステップＳ８０３で、ＮＯのとき）、本体ＣＰＵ２は、音声録音を行うと、音声の鮮明性が劣化すると判断して、音声録音を開始することなく、所定時間経過後に、再度、環境騒音レベルが閾値騒音レベル以下であるかチェックする（ステップＳ８０３）。
【０２０１】
ステップＳ８０３で、環境騒音レベルが閾値騒音レベル以下であると（ステップＳ８０３で、ＹＥＳのとき）、本体ＣＰＵ２は、マイク２０を利用した操作者の音声を録音する音声録音動作を開始する（ステップＳ８０４）。
【０２０２】
本体ＣＰＵ２は、音声録音動作を開始すると、印刷ジョブの発生の有無をチェックする（ステップＳ８０５）。
【０２０３】
ステップＳ８０５で、印刷ジョブがないとき（ステップＳ８０５で、ＮＯのとき）、本体ＣＰＵ２は、そのまま音声録音動作を継続して、録音時間が経過すると、音声録音動作を終了して、画像処理を終了する（ステップＳ８０６）。
【０２０４】
ステップＳ８０５で、印刷ジョブがあると、本体ＣＰＵ２は、録音条件が満たされているか（一致するか）判断する（ステップＳ８０７）。この録音条件は、第４実施例の場合と同様である。すなわち、録音条件は、録音動作と印刷動作を同時に実行しても、録音を鮮明に行うことができる条件であり、例えば、両面印刷の有無、印刷後の後処理（ステープル、パンチ）の有無及び騒音レベルが所定値以下であること等が条件となる。
【０２０５】
そして、ステップＳ８０７で、録音条件に一致する（満たす）と（ステップＳ８０７で、ＹＥＳのとき）、本体ＣＰＵ２は、ノイズキャンセリングの必要がないと判断して、録音動作を継続しつつ、印刷動作を実行する（ステップＳ８０８）。本体ＣＰＵ２は、録音時間が経過すると、音声録音動作を終了する（ステップＳ８０９）。また、本体ＣＰＵ２は、印刷動作を完了すると、画像処理動作を終了する。
【０２０６】
ステップＳ８０７で、録音条件に一致しない（満たしていない）と（ステップＳ８０７で、ＮＯのとき）、本体ＣＰＵ２は、現在の印刷動作の動作状態を判別する（ステップＳ８１０）。すなわち、ＣＰＵ２は、印刷ジョブを調べて、両面印刷モード、後処理を伴う印刷モード等のいずれの動作モード（画像処理動作）であるかを判別する。
【０２０７】
本体ＣＰＵ２は、動作モード（画像処理動作）を判別すると、その動作モードに基づいて、ノイズデータメモリ４１に格納されているノイズキャンセルデータを読み出す（ステップＳ８１１）。本体ＣＰＵ２は、読みだしたノイズキャンセルデータを、ノイズ出力部４２に渡して、ノイズキャンセル音として拡声出力させる（ステップＳ８１２）。
【０２０８】
ノイズ出力部４２からノイズキャンセル音が拡声出力されることで、複合装置４０が動作することで発生している動作音がキャンセルされ、マイク２０から集音される音声に、動作音がノイズとして混入することを、削減することができる。
【０２０９】
本体ＣＰＵ２は、上記音声録音を行いつつ、印刷動作（記録出力動作）を実行する（ステップＳ８１３）。すなわち、本体ＣＰＵ２は、印刷実行時における音声を、ノイズキャンセル音でノイズ除去された状態で集音動作して、集音した音声データを、ＣＯＤＥＣ１８で、ＷＡＶやＭＰ３等のディジタルデータに変換させて、音声データメモリ１９に記憶させる。
【０２１０】
本体ＣＰＵ２は、録音時間が経過すると、音声録音動作を終了する（ステップＳ８１４）。また、本体ＣＰＵ２は、印刷動作を完了すると、画像処理動作を終了する。
【０２１１】
なお、上記説明においては、録音条件に一致しない場合に、録音音声から動作音を除去する場合について説明したが、本実施例においても、動作音の除去は、録音条件に一致しない場合に限るものではない。例えば、録音条件とは無関係に、録音音声から動作音の除去を行ってもよい。
【０２１２】
このように、本実施例の複合装置１は、複合装置１の前記画像処理動作に応じて発生する動作音の逆位相音を該画像処理動作毎に予め記憶するノイズデータメモリ（記憶手段）４１と、前記ノイズデータメモリ４１から前記逆位相音を読み出して拡声出力するノイズ出力部（音出力手段）４２と、前記マイク２０に前記音声が入力される際に、該音声が入力される際の前記画像処理動作に応じた前記逆位相音を前記ノイズ出力部４２に拡声出力させて、入力される該音声から該動作音を除去させる本体ＣＰＵ（動作音除去制御手段）２と、をさらに備え、本体ＣＰＵ（データ編集手段）２は、画像データに前記マイク２０が前記音声データメモリ１９に記憶した音声データを付加している。
【０２１３】
したがって、動作音が発生している場合にも、該動作音を除去した状態で、鮮明な音声録音を行うことができ、音声の鮮明性及び画像処理動作の効率性を確保しつつ音声を取り込むことができる。
【０２１４】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０２１５】
１  複合装置
２  本体ＣＰＵ
３  本体ＲＯＭ
４  本体ＲＡＭ
５  プリンタ部
６  操作パネル
７  スキャナ部
８  画像メモリ
９  ＬＡＮ  Ｉ／Ｆ
１０  バス
１１  操作部ＣＰＵ
１２  操作部ＲＯＭ
１３  操作部ＲＡＭ
１４  音声出力部
１５  音声録音キー
１６  録音時間設定キー
１７  表示部
１８  ＣＯＤＥＣ
１９  音声データメモリ
２０  マイク
２１  スタートキー
３０  操作パネル
３１  ノイズデータメモリ
４０  複合装置
４１  ノイズデータメモリ
４２  ノイズ出力部
【先行技術文献】
【特許文献】
【０２１６】
【特許文献１】特開平４−３４３５６１号公報
【図１】
2015122726.tif 000003
【図２】
2015122726.tif 000004
【図３】
2015122726.tif 000005
【図４】
2015122726.tif 000006
【図５】
2015122726.tif 000007
【図６】
2015122726.tif 000008
【図７】
2015122726.tif 000009
【図８】
2015122726.tif 000010
【図９】
2015122726.tif 000011
【図１０】
2015122726.tif 000012
【図１１】
2015122726.tif 000013
【図１２】
2015122726.tif 000014
【図１３】
2015122726.tif 000015
【図１４】
2015122726.tif 000016
【図１５】
2015122726.tif 000017
【図１６】
2015122726.tif 000018
【図１７】
2015122726.tif 000019